(57)【要約】【課題】構造や動作原理が簡単であり、取り扱いが簡易であり、製造コストが低廉である用紙フィーダーとこの用紙フィーダーを有するラミネート装置とを提供する。【解決手段】用紙を、停止している一対のロールの間に向かって送り、この停止しているロールによって、その進行方向を矯正し、仮に、それまで斜行していても、この点において、斜向しておらない正しい姿勢に戻す機能、即ち、フィードされる用紙の先端を、フィードされる方向に対して直交する方向に整える機能を有する手段、具体的には、例えば、用紙先端を持ち上げる手段と、先端が持ち上げられた用紙の先端を斜め下向き方向に変更する手段と、先端が斜め下向き方向に変更された用紙の先端が到着するまで停止しており、用紙の先端が到着した時、回転を開始する１対のロールよりなる用紙先端方向を調整する手段とを有する用紙フィーダーとこの用紙フィーダーを有するラミネート装置とである。【選択図】図１
2007197212.tif 000002
【特許請求の範囲】
【請求項１】
その上面を、四角形状のカットペーパーよりなる用紙がフィードされる架台（１）と、
該架台（１）の上に設けられ、前記架台（１）の上面に沿ってフィードされる前記用紙の先端を、フィードされる方向に対して直交する方向に整える機能を有する、用紙先端方向整合手段（２）と
を有する
ことを特徴とする
用紙フィーダー。
【請求項２】
前記用紙先端方向整合手段（２）は、
前記用紙の先端を上方向に導く機能を有する、用紙先端持ち上げ手段（２１）と、
該先端が持ち上げられた前記用紙の先端を、斜め下向き方向に導く機能を有する、用紙先端進行方向変更手段（２２）と、
該先端が斜め下向き方向に変更された前記用紙の先端が到着するまで停止しており、該用紙の先端が到着した時、回転を開始する１対のロール（２３１）よりなる用紙先端方向調整手段（２３）と
よりなる
ことを特徴とする
請求項１記載の用紙フィーダー。
【請求項３】
前記用紙先端持ち上げ手段（２１）は、前記用紙が送られる方向に沿って、前記架台（１）の上面から斜め上方向に傾斜してなる板状部材（２１１）よりなり、
前記用紙先端進行方向変更手段（２２）は、前記用紙先端方向調整手段（２３）の上流直近に設けられ、前記架台（１）の上方離隔位置から前記架台の上面に向かって斜め下方向に傾斜してなる板状部材（２２１）よりなる
ことを特徴とする
請求項２記載の用紙フィーダー。
【請求項４】
請求項１、２、または、３記載の用紙フィーダーを有する
ことを特徴とする
ラミネーター。
【発明の詳細な説明】
【技術分野】
【０００１】  本発明は、フィードされる四角形状のカットペーパーよりなる用紙の先端が進行方向に対して直交し、斜交しないように改良されている用紙フィーダーと、その用紙フィーダーを使用しているラミネーターとに関する。
【背景技術】
【０００２】  プリンター・コピー機等を使用して印刷される文字・図形等には、正常な方向・方位があることが一般である。また、四角形状のカットペーパーよりなる用紙を前提とするラミネート装置等にも正常な方向・方位があることが一般である。そのため、四角形状のカットペーパーよりなるプリント用紙は、その正常な方向・方位に対応する正常な方向・方位にフィードされなければならないことが通常である。
この要請に応えるため、プリンター・コピー機等の印刷機械やラミネート装置等に、用紙フィード用インプットの両側に、用紙案内板が設けられていたり、または、用紙のフィード方向の先端を検出する機能を有する有体または無体のセンサが設けられ、そのセンサの信号にもとづいて、用紙を正常な方向に修正・誘導する機能が付加されていたりする場合が多い。【０００３】  しかし、かかる装置を付加するには、看過し難い経費を必要とするので、構造や動作原理が簡単であり、取り扱いがより簡易であり、そして、製造コストがより低廉である用紙フィード方向修正・矯正・誘導手段の開発が望まれていた。
本願発明の目的は、かかる要請に応えるものであり、構造や動作原理が簡単であり、取り扱いが簡易であり、そして、製造コストが低廉であるという利益を有する、フィードされる四角形状のカットペーパーよりなる用紙の先端が進行方向に対して直交し、斜交しないように改良されている用紙フィーダーと、その用紙フィーダーを使用するラミネーターとを提供することにある。【０００４】  本願出願人は、遺憾ながら、かかる利益を有する用紙フィーダーの前例を知らない。
【特許文献１】  なし
【発明の開示】
【０００５】  本願発明の技術思想は、停止しており、フィードされる用紙の進行方向に直交する方向の面を有する有体物、例えば、１対のロールの間隙に向かって、いくらか撓ませてある状態で用紙を送り、この停止しているロールの間隙に用紙の先端を衝突させることによって、用紙の進行方向を、１対のロールの間隙の接合線に合一させることにより、用紙の進行方向を矯正するというものである。
換言すれば、用紙の先端が到着するまでは停止して待機の状態にある例えば１対のロールを用意しておき、その１対のロールの間隙に向かって、用紙を幾らか撓ませてある状態で用紙の先端を送り、用紙の先端が到着した時、用紙の先端の方向が、ロールの接合線に自然に合わせられるようにする。そして、このようにして、用紙の先端の方向をロールの接合線に合一させた上で、前記の１対のロールを回転させて、用紙の先端の方向が用紙の進行方向と直交している状態で、用紙を、更に、進行させてフィードして、フィードされる四角形状のカットペーパーよりなる用紙の先端が進行方向に対して直交し、斜交しないように改良されている用紙フィーダーを提供することができると言う技術思想を活用したものである。
【０００６】  本願発明の課題は、構造や動作原理が簡単であり、取り扱いが簡易であり、そして、製造コストが低廉であるという利益を有しながら、フィードされる四角形状のカットペーパーよりなる用紙の先端が進行方向に対して直交し、斜交しないように改良されている新規の用紙フィーダーと、その新規の用紙フィーダーを使用する新規のラミネーターとを実現することである。
【０００７】  本願は、二つの発明を有し、その第１の発明は、用紙フィーダーであり、その第２の発明は、この用紙フィーダーを有するラミネーターである。
本願発明に係る用紙フィーダーは、図１・図２に示すように、架台（１）の上面を、四角形状のカットペーパーよりなる用紙（４）がフィードされることを前提とし、その架台（１）の上面に沿ってフィードされる用紙（４）の先端を、フィードされる方向に対して直交する方向に整える機能を有する新規な手段（用紙先端方向整合手段（２））を要旨とする用紙フィーダーである。
そして、その用紙先端方向整合手段（２）は、進行する用紙（４）の先端を、一旦、上方向に導く機能を有する、用紙先端持ち上げ手段（２１）と、この先端が、一旦、持ち上げられた用紙（４）の先端を、再び、斜め下向き方向に導き、用紙がいくらか撓んでいる状態にもたらす機能を有する、用紙先端進行方向変更手段（２２）と、この先端が斜め下向き方向に変更され、用紙がいくらか撓んでいる状態にある用紙（４）の先端が到着するまでは停止して待機の状態にあり、用紙（４）の先端が到着した時、用紙（４）の先端の方向が、下記するロール（２３１）の接合線に合わせて、自然に整合するようにし、その後、回転を開始する１対のロール（２３１）よりなる用紙先端方向調整手段（２３）との組み合わせをもって、構成することができる。
さらに具体的には、図２に示すように、用紙先端持ち上げ手段（２１）は、用紙（４）が送られる方向に沿って、架台（１）の上面から斜め上方向に傾斜している板状部材（２１１）をもって構成することができ、用紙先端進行方向変更手段（２２）は、用紙先端方向調整手段（２３）の上流直近に設けられ、架台（１）の上方に離隔した位置から架台の上面に向かって斜め下方向に傾斜している板状部材（２２１）をもって構成することができる。
また、本願の第２の発明は、上記の新規な用紙フィーダーを使用しているラミネーターである。
【０００８】  本願発明の効果は、上記のとおり、本願発明に係る用紙フィーダーは、センサやそのセンサの検出値とリファレンス値とを比較する比較手段やその比較手段の比較結果にもとづいて動作するサーボ機構等を必須構成要素とする自動制御装置等と異なり、構造や動作原理が極めて簡易であり、取り扱いも容易であり、その上、製造コストが極めて低廉であるという大きな利益を有することである。そして、この用紙フィーダーを有するラミネーターの効果は、その用紙フィーダーの大きな利益を其の侭、享有することができることである。
【発明を実施するための最良の形態】
【０００９】  本願発明を実施するための最良の形態は、請求項２または請求項３に記載されている用紙フィーダーと、その用紙フィーダーを使用したラミネータである。
【実施例１】
【００１０】  図２・図３は、本発明装置の１実施例に係る用紙フィーダーの概念的側面図である。【００１１】  本願発明の１実施例に係る用紙フィーダーの構造は図２、特に、図３に示すように、架台（１）の用紙フィード送り経路の上流部分に用紙（４）をフィードするロール（３）が設けられ、このロール（５）が駆動されて、用紙（４）を１枚づつ、図において、右方向に送る。架台（１）の上に送られた用紙（４）は、１対の駆動ロール（６）によって、更に、図において、右方向に送られる。（２１１）は、架台（１）の上面から斜め上方向に傾斜している板状部材であり、用紙先端持ち上げ手段（２１）の下位概念である。そして、矢印（Ａ）をもって示すように、用紙（４）の先端を、一旦、上方向に導く機能を有する。（２２１）は、架台（１）の上方に離隔した位置から架台の上面に向かって斜め下方向に傾斜している板状部材であり、用紙先端進行方向変更手段（２２）の下位概念である。そして、その先端が、矢印（Ａ）をもって示すように、一旦、持ち上げられた用紙（４）の先端を、矢印（Ｂ）をもって示すように、再び、斜め下向き方向に導き、用紙（４）がいくらか撓んでいる状態にもたらして、下記する１対のロール（２３１）の間隙にフィードする機能を有する。（２３１）は１対のロールであり、用紙先端方向調整手段（２３）の下位概念である。そして、矢印（Ｂ）をもって示すように、その先端が斜め下向き方向に変更され、用紙がいくらか撓んでいる状態にある用紙（４）の先端が到着するまでは停止して待機の状態にあり、用紙（４）の先端が到着した時、用紙（４）の先端の方向が、ロール（２３１）の接合線に合わせて、自然に整合するようにする機能を有する。【００１２】  本願発明の１実施例に係る用紙フィーダーは、上記のように構成されているので、用紙（４）は、いくらか撓んでいる状態で、停止している１対のロール（２３１）の間隙に送られ、その間隙に衝突するので、用紙（４）は、仮に、それまで斜行していても、此処で、その進行方向が矯正され、この点において、斜行しておらない正しい姿勢に戻され、本願の目的が達成される。
【実施例２】
【００１３】  図４と図５とは、本発明装置の他の１実施例に係るラミネーターの、それぞれ、概念的側面図と概念的平面図とである。【００１４】  図において、（６）・（２１１）・（２２１）（２３１）は、図３に示す本願発明の１実施例に係る用紙フィーダーの部材と同一である。
そして、（７）は、被覆用のプラスチック・フィルムであり、（８）は、被覆されるセルロース紙のカット・ペーパーあり、（９）はラミネート用の加熱・圧着用の１対のロールであり、従来、公知のラミネーターの対応する部材と全く同一である。【００１５】  従来、公知のラミネーターとしては、種々異なる形式の物が知られているが、本実施例においては、１例として、ロールに巻かれている２枚の被覆用のプラスチック・フィルム（７）が巻き戻されて連続的に供給され、一方、１枚の四角形状のカット・ペーパーよりなる用紙（８）が間歇的に供給されて、２枚の被覆用のプラスチック・フィルム（７）の間隙に圧着される形式を前提とする。此処で、四角形状のカット・ペーパーよりなる用紙（８）は、上記の用紙（４）に相当することは自明である。
この場合、被覆用のプラスチック・フィルム（７）は、通常、１種類、即ち、同一寸法、特に、同一の幅の物が使用されるが、カットペーパーよりなる用紙（８）の寸法は、その時々に応じて、千差万別であり、一定しない。
ところで、カット・ペーパーよりなる用紙（８）が被覆用のプラスチック・フィルム（７）の中心にラミネートされることが望ましい。即ち、幅方向にも長さ方向も、両者が平行しており、特に、幅方向の左右のマージンは同一であり、ヘッドマージンもボトムマージンも所望の値であることが望ましい。そのため、カット・ペーパーよりなる用紙（８）が、被覆用のプラスチック・フィルム（７）の幅方向の中心に供給され、しかも、サイドマージンは、左右、同一または所望の値であることが望ましい。即ち、カット・ペーパーよりなる用紙（８）の先端の方向が被覆用のプラスチック・フィルム（７）の進行方向に直交していることは必要的に望ましい。【００１６】  本実施例は、この要請に応えるものであり、上記した公知のラミネーターの前段に、本願発明に係る用紙フィーダーを設けるものである。
図４と図５とにおいて、７は、ロール（１０）に巻かれている２枚の被覆用のプラスチック・フィルムであり、ロール（１０）から巻き戻されて連続的に供給される。８は、四角形状のカット・ペーパーよりなる用紙であり、図示しない手段により、間歇的に供給される。
四角形状のカット・ペーパーよりなる用紙（８）は、本願発明に係る用紙フィーダー（２１１）・（２２１）・（２３１）により、その先端の方向が進行方向に直交する方向に整えられた後、２枚の被覆用のプラスチック・フィルム（７）の間隙に供給されて、ラミネート用の加熱・圧着用の１対のロール（９）によって、加熱・圧着されて、ラミネートされて、四角形状のカット・ペーパーよりなる用紙（８）が２枚の被覆用のプラスチック・フィルム（７）の間に接着されている製品（８１）としてペイ・オフされる。
此処で、本願発明に係る用紙フィーダーの作用により、四角形状のカット・ペーパーよりなる用紙（８）の進行方向は、２枚の被覆用のプラスチック・フィルム（７）の進行方向に一致しており、一方、２枚の被覆用のプラスチック・フィルム（７）は、ラミネーターによって固定されている位置に供給されるので、四角形状のカット・ペーパーよりなる用紙（８）の幅方向の中心を、２枚の被覆用のプラスチック・フィルム（７）の幅方向の中心に合致させることは容易に可能であるから、本実施例によって、上記の要請は充足される。
【産業上の利用可能性】
【００１７】  上記のとおり、本願発明に係る用紙フィーダーは、用紙の先端が到着するまでは停止して待機の状態にある例えば１対のロール（２３１）よりなる用紙先端方向調整手段（２３）の間隙に向かって、用紙を幾らか撓ませた状態で用紙の先端を送り、用紙の先端が到着した時、用紙の先端の方向が、例えば１対のロール（２３１）よりなる用紙先端方向調整手段（２３）の接合線に自然に合わせられて、用紙の先端の方向が用紙の進行と直交している状態に矯正され、その後、例えば１対のロール（２３１）よりなる用紙先端方向調整手段（２３）のロール（２３１）を回転させて、用紙の先端の方向が用紙の進行と直交している状態で、用紙を、更に、進行させるようにされているので、センサやそのセンサの検出値とリファレンス値とを比較する比較手段やその比較手段の比較結果にもとづいて動作するサーボ機構等を必須構成要素とする自動制御装置等と異なり、構造や動作原理が極めて簡易であり、取り扱いも容易であり、その上、製造コストが極めて低廉であるという大きな利益を有し、また、この用紙フィーダーを有するラミネーターは、その用紙フィーダーの大きな利益を其の侭、享有することができるので、産業上の利用可能性は、充分認められる。
【図面の簡単な説明】
【００１８】
【図１】本発明装置の１実施例に係る用紙フィーダーの概念的側面図（請求項１に対応）である。
【図２】本発明装置の１実施例に係る用紙フィーダーの概念的側面図（請求項２に対応）である。
【図３】本発明装置の１実施例に係る用紙フィーダーの概念的側面図（請求項３に対応）である。
【図４】本発明装置の他の実施例に係るラミネーターの概念的側面図（請求項４に対応）である。
【図５】本発明装置の他の実施例に係るラミネーターの概念的平面図（請求項４に対応）である。
【符号の説明】
【００１９】１      架台
２      用紙先端方向整合手段
２１    用紙先端持ち上げ手段
２２    用紙先端進行方向変更手段
２３    用紙先端方向調整手段
２１１  架台（１）の上面から斜め上方向に傾斜してなる板状部材
２２１  架台の上面に向かって斜め下方向に傾斜してなる板状部材
２３１  １対のロール
４      用紙
５・６  用紙フィード用ロール
７      被覆用のプラスチック・フィルム
８      被覆されるセルロース紙のカット・ペーパー
８１    四角形状のカット・ペーパーよりなる用紙（８）が２枚の被覆用のプラスチック・フィルム（７）の間に接着されている製品）
９      ラミネート用の加熱・圧着用の１対のロール
【図１】
2007197212.tif 000003
【図２】
2007197212.tif 000004
【図３】
2007197212.tif 000005
【図４】
2007197212.tif 000006
【図５】
2007197212.tif 000007
【手続補正書】
【提出日】平成18年9月19日(2006.9.19)
【手続補正１】
【補正対象書類名】図面
【補正対象項目名】図４
【補正方法】変更
【補正の内容】
【図４】
2007197212.tif 000008
【手続補正２】
【補正対象書類名】図面
【補正対象項目名】図５
【補正方法】変更
【補正の内容】
【図５】
2007197212.tif 000009